(57)【要約】【課題】天板に対する収納箱の取付角度を調整可能な吊下げ収納箱の取付角度調整構造を提供する。【解決手段】吊下げ収納箱の取付角度調整構造Ｃは、取付角度調整具１０を備えている。取付角度調整具１０は、天板１に取り付けられるブラケット５１に吊下げ連結される収納箱４１とブラケット５１との間の広狭を調節することで、天板１に対する収納箱４１の取付角度を調整する。【選択図】図１０
2020000468.tif 000002
【特許請求の範囲】
【請求項１】
天板に取り付けられるブラケットに吊下げ連結される収納箱と前記ブラケットとの間の広狭を調節することで、前記天板に対する前記収納箱の取付角度を調整する取付角度調整具を備えている、吊下げ収納箱の取付角度調整構造。
【請求項２】
前記取付角度調整具は、前記収納箱の上方に配置されている、請求項１に記載の吊下げ収納箱の取付角度調整構造。
【請求項３】
前記天板の下面と連結する天板支持フレームに前記ブラケットが取り付けられる構成であって、
前記ブラケットは、前記天板支持フレームを挟持することで、前記天板と連結した状態の前記天板支持フレームに着脱自在に取り付けられる、請求項１又は２に記載の吊下げ収納箱の取付角度調整構造。
【請求項４】
天板に吊下げ連結される収納箱と前記天板との間の広狭を調節することで、前記天板に対する前記収納箱の取付角度を調整する取付角度調整具を備え、
前記取付角度調整具は、前記収納箱の上方に配置されている、吊下げ収納箱の取付角度調整構造。
【請求項５】
前記収納箱は、前記収納箱の重心に対して平面視でズレた位置で吊り下げられる、請求項１から４のいずれか一項に記載の吊下げ収納箱の取付角度調整構造。
【請求項６】
前記天板は、上下方向に伸縮可能な電動式の伸縮脚部に支持されていて高さ位置調整可能に設けられている、請求項１から５のいずれか一項に記載の吊下げ収納箱の取付角度調整構造。
【発明の詳細な説明】
【技術分野】
【０００１】
本願発明は、吊下げ収納箱の取付角度調整構造に関するものである。
【背景技術】
【０００２】
従来、テーブルやデスクなどの天板を有する什器において、天板の下方空間を有効利用すべく、収納箱を天板の裏面に吊下げ連結した構造が知られている（例えば特許文献１を参照）。このような収納箱には、例えばカバンや書類、パソコンなどの物品を収納できる。
【先行技術文献】
【特許文献】
【０００３】
【特許文献１】実開平１−１４１６３８号公報
【発明の概要】
【発明が解決しようとする課題】
【０００４】
収納箱を天板に吊下げ連結した構成において、収納箱が傾いて取り付けられていると、外観が悪くなるという問題があった。特に、平面視で収納箱の重心に対してズレた位置で収納箱が吊下げ連結されると、吊下げられた収納箱は傾いた状態になりやすい。例えば収納箱が天板を支持する脚の近傍に配置される場合、収納箱が傾いていると、上下に延びる脚と収納箱の側板部との隙間が上下方向で均一にならず、見栄えが悪くなる。また、収納箱の側板部が天板に対して直角に配置されている場合であっても、天板に対する脚の直角度にばらつきが生じていると、脚と収納箱の側板部との隙間が上下方向で均一にならず、見栄えが悪くなることがある。
【０００５】
本願発明は、このような現状を改善すべく成されたものである。
【課題を解決するための手段】
【０００６】
本願発明の吊下げ収納箱の取付角度調整構造の一態様は、天板に取り付けられるブラケットに吊下げ連結される収納箱と前記ブラケットとの間の広狭を調節することで、前記天板に対する前記収納箱の取付角度を調整する取付角度調整具を備えているものである。
【０００７】
本願発明の上記一態様によれば、取付角度調整具を用いて収納箱とブラケットとの間の広狭を調整することで天板に対する収納箱の取付角度を容易に調整でき、天板の下方に収納箱を吊下げ連結した際の外観を良好にできる。また、収納箱が真っ直ぐに取り付いている場合でも、収納箱の近傍に脚等の比較物があり、当該比較物が傾いているなどの問題で比較物との隙間が均一で無い場合にも、当該隙間が均一になるように調整することで外観を良くすることができる。
【０００８】
上記吊下げ収納箱の取付角度調整構造において、前記取付角度調整具は、前記収納箱の上方に配置されているようにしてもよい。
【０００９】
このような態様によれば、取付角度調整具が収納箱の内部に露出しないので、収納箱の意匠を損なわずに収納箱の取付角度を調整できる。また、取付角度調整具と収納箱に収容される物品との接触を防止でき、当該物品及び取付角度調整具の損傷や、収納箱への物品の出し入れを取付角度調整具が阻害するのを防止できる。
【００１０】
また、上記吊下げ収納箱の取付角度調整構造において、前記天板の下面と連結する天板支持フレームに前記ブラケットが取り付けられる構成であって、前記ブラケットは、前記天板支持フレームを挟持することで、前記天板と連結した状態の前記天板支持フレームに着脱自在に取り付けられるようにしてもよい。
【００１１】
このような態様によれば、上記ブラケットを連結するために天板や天板支持フレームを追加で加工したり、専用の連結具を設けたりしなくても、天板の下方に上記ブラケットを配置できる。これにより、既存の天板付什器に対して、設計変更や追加加工を行わずに製造コストの上昇を抑制しながら、収納箱を簡単に吊下げ配置できる。
【００１２】
本願発明の吊下げ収納箱の取付角度調整構造の他の態様は、天板に吊下げ連結される収納箱と前記天板との間の広狭を調節することで、前記天板に対する前記収納箱の取付角度を調整する取付角度調整具を備え、前記取付角度調整具は、前記収納箱の上方に配置されているものである。
【００１３】
本願発明の上記他の態様によれば、取付角度調整具を用いて収納箱と天板との間の広狭を調整することで天板に対する収納箱の取付角度を容易に調整でき、天板の下方に収納箱を吊下げ連結した際の外観を良好にできる。さらに、取付角度調整具が収納箱の内部に露出しないので、収納箱の意匠を損なわずに収納箱の取付角度を調整できるとともに、取付角度調整具と収納箱に収容される物品との接触を防止できる。
【００１４】
本願発明の吊下げ収納箱の取付角度調整構造において、前記収納箱は、前記収納箱の重心に対して平面視でズレた位置で吊り下げられるようにしてもよい。
【００１５】
このような態様によれば、収納箱が、収納箱の重心に対して平面視でズレた位置で吊り下げられることで傾いた状態になったとしても、取付角度調整具を用いて天板に対する収納箱の取付角度を修正でき、天板の下方に収納箱を吊下げ連結した際の外観を良好にできる。そして、収納箱を、収納箱の重心に対して平面視でズレた位置で天板又はブラケットに吊下げ連結することで、例えば天板の周縁部近傍で吊下げ連結しながら収納箱全体を天板の下方に配置できるなど、吊下げ連結位置の自由度が向上する。
【００１６】
また、本願発明の吊下げ収納箱の取付角度調整構造において、前記天板は、上下方向に伸縮可能な電動式の伸縮脚部に支持されていて高さ位置調整可能に設けられているようにしてもよい。
【００１７】
このような態様によれば、天板又はブラケットに吊下げ連結される収納箱を、伸縮脚部の伸縮によって天板とともに上下昇降させることができ、天板を上昇位置に配置した状態で収納箱の取付角度調整を行うことで当該調整作業のし易さが向上する。また、伸縮脚部の伸縮具合によって天板の高さ位置を調整可能な構成でありながら、天板に対する収納箱の位置は一定なので、収納箱の使い勝手が向上する。例えば天板が上昇位置に位置しているときに、使用者は屈むことなく収納箱を使用できる。
【発明の効果】
【００１８】
本願発明の吊下げ収納箱の取付角度調整構造は、天板に対する収納箱の取付角度を調整できる。
【図面の簡単な説明】
【００１９】
【図１】実施形態に係るテーブルを示しており、（Ａ）は全体の斜視図、（Ｂ）は分離斜視図である。
【図２】（Ａ）は天板を仮想線で表示した平面図、（Ｂ）は骨組みの部分的な斜視図である。
【図３】収納部周辺を示す図であり、（Ａ）は平面図、（Ｂ）は斜視図、（Ｃ）は正面図、（Ｄ）は側面図である。
【図４】（Ａ）はブラケット周辺を示す側面図、（Ｂ）は収納箱を示す平面図である。
【図５】ブラケットを示す図であり、（Ａ）は平面図、（Ｂ）は底面図である。
【図６】同ブラケットを示す分解斜視図である。
【図７】（Ａ）は図５（Ａ）のＸ−Ｘ位置断面図、（Ｂ）はブラケット取付動作を説明するための斜視図である。
【図８】収納箱の取付動作を説明するための斜視図である。
【図９】天板、ブラケット及び収納箱の連結構造を示す断面図であり、図５（Ａ）のＹ−Ｙ位置に対応している。
【図１０】収納箱の取付角度調整動作を説明するための断面図であり、（Ａ）は時計回りに調整するときの動作、（Ｂ）は反時計回りに調整するときの動作を示す。
【図１１】他の実施形態に係るテーブルの収納箱周辺を示す図であり、（Ａ）は平面図、（Ｂ）は斜視図、（Ｃ）は正面図、（Ｄ）は側面図である。
【図１２】（Ａ）は同実施形態のブラケットを示す平面図、（Ｂ）は同ブラケットを示す斜視図、（Ｃ）は同実施形態の天板、ブラケット及び収納箱の連結構造を示す断面図であって（Ａ）のＡ−Ａ線に沿った位置に対応している。
【図１３】さらに他の実施形態を示す図であり、（Ａ）は収納箱及び取付ボルトを示す平面図、（Ｂ）は（Ａ）のＢ−Ｂ位置断面図、（Ｃ）は（Ａ）のＣ−Ｃ位置断面図である。
【図１４】さらに他の実施形態を示す断面図である。
【発明を実施するための形態】
【００２０】
１．テーブルの概要
本願発明の第１実施形態について図面に基づいて説明する。本実施形態は、本願発明の吊下げ収納箱の取付角度調整構造をテーブルに適用したものである。なお、本願発明は、天板の下方に収納箱を吊下げ配置可能な空間を有する天板付什器に適用可能である。
【００２１】
図１及び図２に示すように、本実施形態におけるテーブルは、長方形の天板１を有している。各方向を特定するため、前後・左右の文言を使用するが、図１に示すように、テーブルにおける天板１の長手方向（幅方向）を左右方向とし、これと直交した方向（奥行き方向）を前後方向と定義している。
【００２２】
本実施形態におけるテーブルは長方形の仕様であり、平面視長方形の天板１と、天板１を支える４本の脚２とを有している。脚２は、天板１のコーナー部（四隅部）に位置しており、脚２上端が天板１の下面と連結することで、４本の脚２が天板１を支持している。
【００２３】
天板１の左右方向に延びる中心線に沿った部位の左右２か所には、平面視四角形（正方形）の配線穴６が空いている。天板１は木製であり、例えば図１（Ｂ）に示すように、天板１の下面には、短辺の近くに配置された前後長手のエンドフレーム３と、左右のエンドフレーム３の間に配置された左右長手の補強桟４とが重ねられており、エンドフレーム３がボルト５（図２（Ｂ）参照）で固定されている（エンドフレーム３と補強桟４との両方を天板１に固定してもよい。）。
【００２４】
補強桟４とエンドフレーム３は、天板を支持する天板支持フレームを構成する。補強桟４とエンドフレーム３とは、溶接によって固定されていてもよいし、ボルトで固定されていてもよい。ボルトで固定する場合は、例えば、エンドフレーム３に、補強桟４の内部に嵌入する角形のボス体を横向きに突設して、補強桟４に下方から挿通したボルトを補強桟４に捩じ込む方式を採用することが可能であり、この場合は、補強桟４とエンドフレーム３とを強固に固定できる。
【００２５】
補強桟４とエンドフレーム３と脚２によって、テーブルの骨組みが構成されている。天板１は木製のものを使用しているが、スチール製のものを使用したり、紙製等の軽量コア部材の上下両面に金属板（スチール板）を接着した積層品を使用したりすることも可能である。
【００２６】
一方のエンドフレーム３の一端部に、収納箱４１がブラケット５１を介して吊下げ連結されている。収納箱４１は、全体が天板１の下方に位置するようにしながら、天板１の１つの角部（隅部）の近傍に配置されている。すなわち、収納箱４１は、１本の脚２の近傍に配置されている。
【００２７】
２．脚及びエンドフレームの構造
図１〜図４に示すように、脚２は、天板１の下面に固定される脚ブラケット８と、脚ブラケット８に取り付けた脚支柱９と、脚支柱９の下端に取り付けた捩じ込み式のアジャスタ２５とで構成されている。なお、各脚２において、アジャスタ２５に替えてキャスター（車輪）を脚支柱９に取り付けることも可能である。
【００２８】
脚ブラケット８は、例えばアルミニウムを材料にしたダイキャスト品である（樹脂の成形品でもよい）。脚ブラケット８の一端側に、角管状の脚支柱９が連結されている。下方から嵌め込んでいる。脚ブラケット８の他端側は、角管状のエンドフレーム３の端部に連結されている。脚ブラケット８は、上下に開口する４つのボルト挿通穴に下方から挿通される４本のボルト２７（図７（Ｂ）参照）で天板１に固定される。これに伴って、天板１の各コーナー部には、４つずつの雌ネジ穴（鬼目ナット）が設けられている。
【００２９】
天板支持フレームを構成するエンドフレーム３の上面には、錐台状の上向き台座部２８が飛び飛びで複数個膨出形成されており、この台座部２８がボルト５で天板１に固定されている。従って、天板１とエンドフレーム３との間には、台座部２８の突出高さと同じ寸法の隙間Ｓ（図４（Ａ）及び図９参照）が空いている。なお、エンドフレーム３の上面に板材（スペーサ）を溶接等で固定しても、エンドフレーム３と天板１との間に隙間を空けることができる。また、エンドフレーム３のうち各台座部２８の下方部には大きな穴３０（図８参照）が空いており、この穴３０に、上下に開口した樹脂製の筒体３１（図９参照）を装着している。
【００３０】
３.収納箱の構造
図１〜図４に示すように、収納箱４１は、天板１の１つの角部の下方で、左右２本のうち一方のエンドフレーム３の一端部に、ブラケット５１を介して吊下げ連結されている。収納箱４１は、金属製であり、前後方向に開口する四角筒状の形態を有し、天板部４２と、天板部４２の左右端部から垂下する左右の側板部４３，４３と、側板部４３，４３の下端部同士を連結する底板部４４とを備えている。
【００３１】
天板部４２と底板部４４は互いに平行に設けられており、左右の側板部４３，４３は互いに平行に設けられている。天板部４２及び底板部４４と側板部４３は互いに直交している。また、収納箱４１は、奥側（前側）の開口の下寄り部位を塞ぐ起立板部４５を備えており、底板部４４上に載置された物品が奥側へ落下しないように構成されている。
【００３２】
収納箱４１は、天板部４２の上面に固着された前後一対の補強板部４６，４６を備えている。補強板部４６，４６は、それぞれ左右方向に延びる金属板からなり、前後に間隔を空けて設けられている。天板部４２及び補強板部４６には、第１取付穴４７、第２取付穴４８及び工具挿通穴４９が設けられている。
【００３３】
図４（Ｂ）に示すように、第１取付穴４７は、略ダルマ形であり、大径部４７ａと、大径部４７ａから手前向き（後向き）に延びる取付溝部４７ｂを備えている。大径部４７ａの開口は、後述する第１取付ボルト６１の頭部径よりも大きな径を有する。取付溝部４７ｂの溝幅は、第１取付ボルト６１の頭部径よりも小さく、かつ軸部径よりもわずかに大きな寸法を有する。
【００３４】
第２取付穴４８の開口は、円形であり、後述する第２取付ボルト６２の頭部径よりも小さく、かつ軸部径よりもわずかに大きな径を有する。工具挿通穴４９の開口は、円形であり、後述する取付角度調整ボルト６３の頭部径よりも小さく、かつ取付角度調整ボルト６３を回すための工具の先端部径よりも大きな径を有する。
【００３５】
天板部４２には、第１取付穴４７、第２取付穴４８及び工具挿通穴４９が４つずつ設けられている。第１取付穴４７及び第２取付穴４８は、補強板部４６と重なる位置に設けられており、天板部４２及び補強板部４６を上下方向に貫通している。ただし、４つの第１取付穴４７のうち手前側の左右に並ぶ２つの第１取付穴４７は、大径部４７ａが補強板部４６とは重ならない位置に設けられおり、取付溝部４７ｂが補強板部４６と重なる位置に設けられて天板部４２及び補強板部４６を貫通している。
【００３６】
４つの第１取付穴４７は、取付溝部４７ｂが、中心位置を収納箱４１の重心Ｇとして側板部４３と平行な２辺を有する長方形の各頂点に位置するように、配置されている。４つの第２取付穴４８は、各第１取付穴４７の取付溝部４７ｂの左右方向外側位置に、左右に並ぶ第１取付穴４７の取付溝部４７ｂ同士の間隔と同じ間隔を空けて、１つずつ設けられている。すなわち、４つの第２取付穴４８は、中心位置を重心Ｇとして側板部４３と平行な２辺を有する長方形の各頂点に位置している。つまり、左右方向に沿って等間隔に並ぶ第２取付穴４８、取付溝部４７ｂ、取付溝部４７ｂ、第２取付穴４８の列が前後に２組設けられている。
【００３７】
４つの工具挿通穴４９は、前後方向に並ぶ第１取付穴４７の取付溝部４７ｂ同士の中間位置と、前後方向に並ぶ第２取付穴４８同士の中間位置に設けられており、重心Ｇを通って左右方向に延びる直線に沿って等間隔に配置されている。
【００３８】
図３に示すように、脚２の近傍に配置される側板部４３には、脚２に対向する面の手前側下寄りの角部近傍に、ゴムなどの弾性体からなる緩衝部材５０が取り付けられている。緩衝部材５０は、側板部４３と脚２との間に配置され、収納箱４１の脚側への移動を規制するとともに、収納箱４１と脚２とが接触して収納箱４１や脚２が損傷するのを防止する。
【００３９】
４．ブラケットの構造及び取付構造
図５〜図９に示すように、ブラケット５１は、ベース部材５２とスライド部材５３とを備えている。ベース部材５２とスライド部材５３は、金属製の板材が切断加工、穴あけ加工、折り曲げ加工されて形成されたものである。
【００４０】
ベース部材５２は、上向きに開口する略Ｕ字形の形態を有し、ベース底板部５２ａと、ベース底板部５２ａの左右一端部から上向きに延びるベース側フレーム挟持板部５２ｂと、ベース底板部５２ａの左右他端部から上向きに延びる連結側板部５２ｃとを備えている。ベース側フレーム挟持板部５２ｂの上端部には、連結側板部５２ｃ側に向けて突設されたベース側係止爪部５２ｄが設けられている。ベース底板部５２ａの前後両端部には、ベース側フレーム挟持板部５２ｂよりも低い高さで、前後一対の補強リブ部５２ｅが立設されている。
【００４１】
ベース底板部５２ａの上面に４つの取付ナット５６が固着されている。取付ナット５６は、収納箱４１の取付穴４７，４８に挿通される取付ボルト６１，６２が捩じ込まれるナットであり、前後に並ぶ第１取付穴４７の各取付溝部４７ｂに対応する位置と、その隣に位置する前後の第２取付穴４８に対応する位置とに設けられている。ベース底板部５２ａには、取付ナット５６の固着位置に、取付ボルト６１，６２の軸部を挿通可能な取付ボルト挿通穴５２ｆ（図５（Ｂ）及び図８参照）が設けられている。
【００４２】
また、ベース底板部５２ａの上面には、左右一対の取付角度調整ナット５４が固着されている。取付角度調整ナット５４は、前後に並ぶ取付ナット５６同士の中間位置に設けられている。ベース底板部５２ａには、取付角度調整ナット５４の固着位置に、取付角度調整ボルト６３の軸部を挿通可能な調整ボルト挿通穴５２ｉ（図５（Ｂ）及び図９参照）が設けられている。各取付角度調整ナット５４には、取付角度調整ボルト６３が下方から調整ボルト挿通穴５２ｉを介して捩じ込まれる。取付角度調整ナット５４と取付角度調整ボルト６３は、取付角度調整具１０を構成する。
【００４３】
ベース底板部５２ａには、左右方向に延びる前後一対の横長溝５２ｇが形成されている。横長溝５２ｇは、ベース底板部５２ａを上下方向に貫通しており、ベース底板部５２ａの左右中央位置から、連結側板部５２ｃに向かって、取付ナット５６と取付角度調整ナットとの間の位置まで延びている。横長溝５２ｇの溝幅は、後述するスライドボルト５５の頭部５５ａの径よりも小さく、かつスライドボルト５５の軸部を挿通可能な寸法で形成されている。
【００４４】
ベース部材５２の連結側板部５２ｃには、ベース側フレーム挟持板部５２ｂに対向する面の前後中央部上寄り部位に、連結ナット５７が固着されている。連結側板部５２ｃには、連結ナット５７の固着位置に、後述する連結ボルト５８の軸部を挿通可能な連結ボルト挿通穴５２ｈ（図９参照）が設けられている。
【００４５】
また、ベース側フレーム挟持板部５２ｂには、連結側板部５２ｃに対向する面に、前後一対の滑り止め部材５９が貼り付けられている。滑り止め部材５９は、ゴム材などの弾性体からなり、補強リブ部５２ｅよりも高い位置に設けられ、ブラケット５１がエンドフレーム３に取り付けられたときに、滑り止め部材５９とエンドフレーム３側面部との間の摩擦力によってブラケット５１の前後移動を抑制する機能を有する。
【００４６】
スライド部材５３は、底面が開口された略箱型の形態を有し、スライド天板部５３ａと、スライド天板部５３ａの左右一端部から下向きに延びるスライド側板部５３ｃと、スライド天板部５３ａの左右他端部の中央部から下向きに延びるスライド側フレーム挟持板部５３ｂとを備えている。スライド側板部５３ｃの前後中央部上寄り部位に、後述する連結ボルト５８の軸部を挿通可能な連結ボルト挿通穴５３ｈ（図９参照）が設けられている。
【００４７】
スライド天板部５３ａには、スライド側フレーム挟持板部５３ｂを前後で挟んで、スライド側板部５３ｃの上端部から遠ざかる向きに略水平に突設された前後一対のスライド側係止爪部５３ｄが設けられている。スライド天板部５３ａの前後両端部には、スライド側板部５３ｃ及びスライド側フレーム挟持板部５３ｂと同程度の上下寸法で下向きに延びる前後一対のカバー板部５３ｅが垂下している。
【００４８】
スライド側フレーム挟持板部５３ｂの下端部には、スライド側板部５３ｃの下端部側へ向けて延びる前後一対のスライドボルト受け部５３ｆが突設されている。スライドボルト受け部５３ｆには、スライドボルト５５が捩じ込まれるスライド雌ネジ穴５３ｇがそれぞれ形成されている。
【００４９】
スライドボルト５５は、ベース部材５２の横長溝５２ｇに下方から挿通されてスライド雌ネジ穴５３ｇに捩じ込まれる。スライドボルト５５を緩めた状態では、スライドボルト５５の軸部中途部が横長溝５２ｇに沿って左右方向へ移動可能に構成されており、ベース部材５２とスライド部材５３は、相対的に左右方向にスライド可能に連結される。すなわち、ベース側フレーム挟持板部５２ｂ及びベース側係止爪部５２ｄと、スライド側フレーム挟持板部５３ｂ及びスライド側係止爪部５３ｄとの間の広狭を調整可能に構成されている。
【００５０】
図７に示すように、ブラケット５１をエンドフレーム３に取り付ける際には、スライドボルト５５を緩め、ベース側係止爪部５２ｄとスライド側係止爪部５３ｄとの間隔をエンドフレーム３の幅よりも広くする。エンドフレーム３をベース側係止爪部５２ｄとスライド側係止爪部５３ｄとの間の空間を通過させ、エンドフレーム３がベース側フレーム挟持板部５２ｂとスライド側フレーム挟持板部５３ｂとの間に位置するようにブラケット５１を配置する。ベース側フレーム挟持板部５２ｂに貼付された滑り止め部材５９と、スライド側フレーム挟持板部５３ｂとがエンドフレーム３の側面部に当接するように、ベース部材５２とスライド部材５３を相対的にスライドさせる。これにより、ベース側係止爪部５２ｄ及びスライド側係止爪部５３ｄは、天板１とエンドフレーム３上面との間の隙間Ｓに挿入される。
【００５１】
スライドボルト５５を軽く締め込んで仮止めすることで、ベース部材５２とスライド部材５３との相対的な移動が規制され、ブラケット５１がエンドフレーム３に落下不能に連結される。連結ボルト５８を、スライド部材５３のスライド側板部５３ｃの左右方向外側から連結ボルト挿通穴５３ｈとベース部材５２の連結ボルト挿通穴５２ｈを介して、連結ナット５７に捩じ込んむ。連結ボルト５８を締め付けることで、連結側板部５２ｃとスライド側板部５３ｃとの間隔が狭くなるとともに、ベース側フレーム挟持板部５２ｂ（滑り止め部材５９）とスライド側フレーム挟持板部５３ｂとがエンドフレーム３の左右両側面部を強固に挟持する。なお、滑り止め部材５９は、その厚みが薄くなるように弾性変形する。その後、仮止めした前後のスライドボルト５５を締め込んで、ベース部材５２とスライド部材５３との連結を強固にする。
【００５２】
５．収納箱の吊下げ構造
図８及び図９に示すように、ブラケット５１の左右の取付角度調整ナット５４に、下方から調整ボルト挿通穴５２ｉを介して取付角度調整ボルト６３を捩じ込む一方、前後の取付ナット５６に下方から取付ボルト挿通穴５２ｆを介して第１取付ボルト６１を捩じ込む。なお、ブラケット５１への第１取付ボルト６１及び取付角度調整ボルト６３の取付けは、ブラケット５１をエンドフレーム３に取り付ける前に行ってもよい。
【００５３】
第１取付ボルト６１の頭部とブラケット５１のベース底板部５２ａとの間隔が、収納箱４１の天板部４２と補強板部４６の合計厚みよりも大きくなるようにした状態で、ブラケット５１の下方に収納箱４１を配置する。収納箱４１を持ち上げて、前後の第１取付ボルト６１の頭部を手前側から見て右側の前後の第１取付穴４７の大径部４７ａに上方から挿通させた後、収納箱４１を奥向き（前向き）にスライドさせて、第１取付ボルト６１の軸部を第１取付穴４７の取付溝部４７ｂに位置させる。作業者が収納箱４１から手を放すと、第１取付ボルト６１の頭部が天板部４２の下面に当接し、収納箱４１は第１取付ボルト６１に落下不能に支持される。
【００５４】
前後の第１取付ボルト６１を締め込んで、収納箱４１の補強板部４６の上面をブラケット５１のベース底板部５２ａに当接させる。収納箱４１は、平面視で重心Ｇよりも右寄りの前後２箇所で吊下げ連結される。収納箱４１の天板部４２とブラケット５１の下部との間には隙間が形成されている。ブラケット５１に取り付けられた前後のスライドボルト５５の頭部５５ａ及び左右の取付角度調整ボルト６３の頭部６３ａの頭部高さは、補強板部４６の厚みよりも小さく形成されており、頭部５５ａ，６３ａは、補強板部４６とベース底板部５２ａとの接触を阻害しない。また、取付角度調整ボルト６３の頭部６３ａの下方には、収納箱４１の天板部４２に設けられた工具挿通穴４９が配置されている。
【００５５】
次に、ブラケット５１の４つの取付ナット５６のうち、第１取付ボルト６１が取り付けられていない前後２つの取付ナット５６に、収納箱４１の第２取付穴４８及びブラケット５１の取付ボルト挿通穴５２ｆを介して、下方から第２取付ボルト６２を捩じ込んで締め込む。これにより、収納箱４１は、２本の第１取付ボルト６１と２本の第２取付ボルト６２の合計４本のボルトで、ブラケット５１に強固に吊下げ連結される。
【００５６】
なお、第２取付穴４８は、第２取付ボルト６２の軸部径よりも少しだけ大きな径で形成されているので、収納箱４１に使用者の足が当たるなどして前後左右方向に力が加わっても、第２取付ボルト６２の軸部が第２取付穴４８の内壁に接触することで、収納箱４１の変位が規制される。また、第１取付穴４７は、取付溝部４７ｂが大径部４７ａに対して手前側に設けられているので、収納箱４１に手前側から力が加わっても、第１取付ボルト６１の軸部が取付溝部４７ｂの端部内壁に接触することで、収納箱４１の変位が規制される。
【００５７】
６．収納箱の取付角度調整構造
本実施形態では、取付角度調整構造Ｃは、取付角度調整具１０を構成する取付角度調整ボルト６３（雄ネジ）と取付角度調整ナット５４（雌ネジ）を用いて、収納箱４１とブラケット５１との間の広狭を調整することで、天板１に対する収納箱４１の取付角度を調整可能に構成されている。具体的には、取付角度調整ボルト６３の取付角度調整ナット５４への捩じ込み程度を調整することでブラケット５１と取付角度調整ボルト６３の頭部６３ａとの間隔を調整し、取付角度調整ボルト６３の頭部６３ａに収納箱４１の天板部４２上面を接触させることで、取付ボルト６１，６２を締め込んだときの天板部４２の角度を調整する。
【００５８】
図１０（Ａ）に示すように、収納箱４１の天板部４２を手前側から見て右下がりに調整したい場合、第２取付ボルト６２を取り付ける前の状態、又は第２取付ボルト６２を緩めた状態で、右側の取付角度調整ボルト６３に、下方から工具挿通穴４９を介して工具先端部を連結し、当該取付角度調整ボルト６３を緩める方向へ回す。当該取付角度調整ボルト６３の頭部６３ａが収納箱４１の天板部４２を押し下げ、ブラケット５１の下部右寄り部位と収納箱４１の天板部４２との間隔が広がることで、収納箱４１は第１取付ボルト６１による固定箇所近傍を中心として手前側から見て時計回りに回動する。その後、第２取付ボルト６２を締め付けることで、右側の取付角度調整ボルト６３によってブラケット５１の下部左寄り部位と収納箱４１の天板部４２との間隔が維持されながら、収納箱４１がブラケット５１に強固に固定される。
【００５９】
他方、図１０（Ｂ）に示すように、収納箱４１の天板部４２を手前側から見て左下がりに調整したい場合には、第２取付ボルト６２を取り付けた後、第１取付ボルト６１を緩めた状態で、左側の取付角度調整ボルト６３に、下方から工具挿通穴４９を介して工具先端部を連結し、当該取付角度調整ボルト６３を緩める方向へ回す。これにより、ブラケット５１の下部左寄り部位と収納箱４１の天板部４２との間隔が広がり、収納箱４１は第２取付ボルト６２による固定箇所近傍を中心として手前側から見て半時計回りに回動する。その後、第１取付ボルト６１を締め付けることで、左側の取付角度調整ボルト６３によってブラケット５１の下部左寄り部位と収納箱４１の天板部４２との間隔が維持されながら、収納箱４１がブラケット５１に強固に固定される。
【００６０】
このように、本実施形態の吊下げ収納箱の取付角度調整構造Ｃは、左右の取付角度調整ボルト６３の捩じ込み具合を調整することで、収納箱４１の取付角度を手前側から見て時計回り又は半時計回りに所望の角度に調整できる。
【００６１】
本実施形態の吊下げ収納箱の取付角度調整構造Ｃは、天板１に取り付けられるブラケット５１に吊下げ連結される収納箱４１とブラケット５１との間の広狭を調節することで、天板１に対する収納箱４１の取付角度を調整する取付角度調整具１０を備えている。これにより、天板１に対する収納箱４１の取付角度を容易に調整でき、天板１の下方に収納箱４１を吊下げ連結した際の外観を良好にできる。また、収納箱４１が真っ直ぐに取り付いている場合でも、収納箱４１の近傍に脚２等の比較物があり、当該比較物が傾いているなどの問題で比較物との隙間が均一で無い場合にも、当該隙間が均一になるように調整することで外観を良くすることができる。
【００６２】
また、取付角度調整具１０は、収納箱４１の上方に配置されており、取付角度調整具が収納箱４１の内部に露出しないので、収納箱４１の意匠を損なわずに収納箱４１の取付角度を調整できる。また、取付角度調整具と収納箱４１に収容される物品との接触を防止でき、当該物品及び取付角度調整具の損傷や、収納箱への物品の出し入れを取付角度調整具が阻害するのを防止できる。
【００６３】
また、収納箱４１には、取付角度調整ボルト６３の下方に、取付角度調整ボルトを回す工具の先端部を挿通可能な工具挿通穴４９が設けられているので、収納箱４１をブラケット５１に連結した状態で取付角度調整ボルト６３の取付角度調整ナット５４への捩じ込み具合を調整できる。すなわち、収納箱４１をブラケット５１から取り外すことなく収納箱４１の取付角度を調整できるので、収納箱４１の取付角度調整作業の容易性及び迅速性が向上する。
【００６４】
また、天板１の下面と連結するエンドフレーム３（天板支持フレームの一例）にブラケット５１が取り付けられる構成であって、ブラケット５１は、エンドフレーム３を挟持することで、天板１が連結された状態のエンドフレーム３に着脱自在に取付可能に構成されている。したがって、ブラケット５１を連結するために天板１やエンドフレーム３を追加で加工したり、専用の連結具を設けたりしなくても、天板１の下方にブラケット５１を配置できる。これにより、既存の天板付什器に対して、設計変更や追加加工を行わずに製造コストの上昇を抑制しながら、収納箱４１を簡単に吊下げ配置できる。
【００６５】
また、本実施形態では、収納箱４１は、収納箱４１の重心Ｇに対して平面視でズレた位置（本実施形態では手前側から見て重心Ｇに対して右側にズレた位置）で吊り下げられている。収納箱４１が重心Ｇに対して平面視でズレた位置で吊り下げられることで傾いた状態になったとしても、取付角度調整具１０を用いて天板１に対する収納箱４１の取付角度を修正でき、天板１の下方に収納箱４１を吊下げ連結した際の外観を良好にできる。そして、収納箱４１を、収納箱４１の重心Ｇに対して平面視でズレた位置でブラケット５１に吊下げ連結することで、例えば天板１の周縁部近傍で吊下げ連結しながら収納箱４１全体を天板１の下方に配置できるなど、吊下げ連結位置の自由度が向上する。
【００６６】
７．他の実施形態
次に、図１１及び図１２を参照しながら、吊下げ収納箱の取付角度調整構造Ｃの他の実施形態について説明する。本実施形態において、図１〜図１０を参照して説明した上記実施形態と同じ部分には同じ符号を付し、これらの部分の詳細な説明は省略する。
【００６７】
本実施形態では、収納箱４１は、天板１の下面に取り付けられるブラケット７１に吊下げ連結されている。収納箱４１は、図１〜図１０に示した上記実施形態と同様であり、天板１の手前右角部の近傍位置で、天板１の下方に配置されている。
【００６８】
ブラケット７１は、ブラケット本体部材７２とカバー部材７３とを備えている。ブラケット本体部材７２は、金属製の板材が切断加工、穴あけ加工、折り曲げ加工されて形成されたものである。
【００６９】
ブラケット本体部材７２は、上向き及び手前向きに開口する略箱形の形態を有し、略矩形板状の本体底板部７２ａを備えている。本体底板部７２ａの左右両端部には、上向きに延びる左右一対の本体側板部７２ｂが立設されている。左右の本体側板部７２ｂの上端部には、左右内向きに延びる略矩形の本体取付部７２ｃがそれぞれ突設されている。左右の本体取付部７２ｃ同士は間隔を空けて設けられている。本体底板部７２ａの前端部（奥側の端部）から上向きに、左右の本体取付部７２ｃの前端部同士の間の空間を塞ぐカバー部７２ｇが立設されている。カバー部材７３は、左右の本体取付部７２ｃの後端部（手前側の端部）同士の間の空間を塞ぐように、ブラケット本体部材７２に取外し可能に取り付けられる。
【００７０】
本体底板部７２ａの上面に、左右一対の取付角度調整ナット５４と４つの取付ナット５６とが固着されている。取付角度調整ナット５４及び取付ナット５６の配置は、図１〜図１０を参照して説明した上記実施形態におけるブラケット５１での配置と同じである。本体底板部７２ａには、取付角度調整ナット５４及び取付ナット５６の固着位置に、ボルト挿通穴が設けられている。各取付角度調整ナット５４には、取付角度調整ボルト６３が下方から捩じ込まれる。この実施形態でも、取付角度調整ナット５４と取付角度調整ボルト６３は、取付角度調整具１０を構成する。
【００７１】
左右の本体取付部７２ｃのうち一方の本体取付部７２ｃに、前後一対の第１ブラケット取付穴７２ｄが形成されている。第１ブラケット取付穴７２ｄは、略ダルマ形であり、大径部７２ｄａと、大径部７２ｄａから手前向き（後向き）に延びる取付溝部７２ｄｂを備えている。大径部７２ｄａの開口は、後述する第１ブラケット取付ボルト８１の頭部径よりも大きな径を有する。取付溝部７２ｄｂの溝幅は、第１ブラケット取付ボルト８１の頭部径よりも小さく、かつ軸部径よりもわずかに大きな寸法を有する。
【００７２】
左右の本体取付部７２ｃのうち他方の本体取付部７２ｃに、前後一対の第２ブラケット取付穴７２ｅが形成されている。第２ブラケット取付穴７２ｅの開口は、円形であり、後述する第２ブラケット取付ボルト８２の頭部径よりも小さく、かつ軸部径よりもわずかに大きな径を有する。２つの第１ブラケット取付穴７２ｄの取付溝部７２ｄｂと、２つの第２ブラケット取付穴７２ｅは、本体側板部７２ｂと平行な２辺を有する長方形の各頂点に位置している。
【００７３】
また、本体底板部７２ａには、前後の第１ブラケット取付穴７２ｄの取付溝部７２ｄｂの下方位置と、前後の第２ブラケット取付穴７２ｅの下方位置とに、工具挿通穴７２ｆが形成されている。工具挿通穴７２ｆは、本体底板部７２ａを上下方向に貫通しており、ブラケット取付ボルト８１，８２の頭部径よりも大きな開口径を有している。
【００７４】
図１２（Ｃ）に示すように、天板１の下面には、ブラケット７１の取付位置に４つのブラケット取付雌ネジ穴８３が埋め込まれている。４つのブラケット取付雌ネジ穴８３は、ブラケット取付ボルト８１，８２が捩じ込まれる雌ネジ穴であり、第１ブラケット取付穴７２ｄの取付溝部７２ｄｂに対応する位置と、第２ブラケット取付穴７２ｅに対応する位置とに設けられている。
【００７５】
ブラケット７１を天板１の下面に取り付ける際には、まず、手前側から見て右側の前後一対のブラケット取付雌ネジ穴８３に、第１ブラケット取付ボルト８１を捩じ込む。第１ブラケット取付ボルト８１は、その頭部と天板１下面との間に、ブラケット７１の本体取付部７２ｃの厚み寸法よりも大きな間隔を空けて、ブラケット取付雌ネジ穴８３に取り付けられる。
【００７６】
次に、ブラケット７１の第１ブラケット取付穴７２ｄの大径部７２ｄａに上方から第１ブラケット取付ボルト８１の頭部を挿通させ、その後、ブラケット７１を奥側（後側）へスライドさせる。これにより、第１ブラケット取付ボルト８１の軸部が第１ブラケット取付穴７２ｄの取付溝部７２ｄｂに挿通されるとともに、第１ブラケット取付ボルト８１の頭部が取付溝部７２ｄｂの周囲の本体取付部７２ｃ下面に接触し、ブラケット７１は、第１ブラケット取付ボルト８１に落下不能に吊下げ支持される。
【００７７】
次に、手前側から見て左側の前後一対のブラケット取付雌ネジ穴８３に、左側の前後一対の工具挿通穴７２ｆ及び第２ブラケット取付穴７２ｅを介して、前後一対の第２ブラケット取付ボルト８２を下方から捩じ込む。工具の先端部を下方から工具挿通穴７２ｆを介してブラケット取付ボルト８１，８２に順次連結し、ブラケット取付ボルト８１，８２を順次締め込んで、天板１の下面にブラケット７１を強固に連結する。
【００７８】
天板１の下面にブラケット７１に、図１〜図１０を参照して説明した上記実施形態と同様にして、収納箱４１を吊下げ連結する。なお、本実施形態では、手前側から見て左側の前後一対の第１取付穴４７及び前後一対の第２取付穴４８に、第１取付ボルト６１及び第２取付ボルト６２が挿通され、収納箱４１は、収納箱４１の重心に対して平面視で左寄りの位置でブラケット７１に吊下げ連結される。
【００７９】
この実施形態でも、図１〜図１０を参照して説明した上記実施形態と同様にして、吊下げ収納箱の取付角度調整構造Ｃは、左右の取付角度調整ボルト６３の捩じ込み具合を調整することで、収納箱４１の取付角度を手前側から見て時計回り又は半時計回りに所望の角度に調整できる。
【００８０】
８．さらに他の実施形態
次に、図１３を参照しながら、吊下げ収納箱の取付角度調整構造Ｃの他の実施形態について説明する。本実施形態において、図１〜図１０を参照して説明した上記実施形態と同じ部分には同じ符号を付し、これらの部分の詳細な説明は省略する。
【００８１】
本実施形態では、収納箱４１は、天板１の下面に吊下げ連結される。収納箱４１は、図１〜図１０に示した上記実施形態と同様である。天板１の下面には、収納箱４１の取付位置に４つの収納箱取付雌ネジ穴８４（図１３（Ｃ）参照）が埋め込まれている。４つの収納箱取付雌ネジ穴８４は、収納箱４１の取付穴４７，４８に挿通される取付ボルト６１，６２が捩じ込まれる雌ネジ穴であり、前後に並ぶ第１取付穴４７の各取付溝部４７ｂに対応する位置と、その隣に位置する前後の第２取付穴４８に対応する位置とに設けられている。
【００８２】
天板１の下面には、収納箱４１の取付位置に、左右一対の取付角度調整雌ネジ穴６４が埋め込まれている。取付角度調整雌ネジ穴６４は、前後に並ぶ収納箱取付雌ネジ穴８４同士の中間位置に設けられている。各取付角度調整雌ネジ穴６４には、取付角度調整ボルト６３が下方から捩じ込まれる。この実施形態では、取付角度調整雌ネジ穴６４と取付角度調整ボルト６３は、取付角度調整具１０を構成する。
【００８３】
収納箱４１を天板１の下面に取り付ける際には、まず、手前側から見て右側の前後一対の収納箱取付雌ネジ穴８４に、第１取付ボルト６１を捩じ込む。第１取付ボルト６１は、その頭部と天板１下面との間に、収納箱４１の天板部４２と補強板部４６との合計厚み寸法よりも大きな間隔を空けて、収納箱取付雌ネジ穴８４に取り付けられる。
【００８４】
次に、収納箱４１の第１取付穴４７の大径部４７ａに上方から第１取付ボルト６１の頭部を挿通させ、その後、収納箱４１を奥側（後側）へスライドさせる。これにより、第１取付ボルト６１の軸部が第１取付穴４７の取付溝部４７ｂに挿通されるとともに、第１取付ボルト６１の頭部が取付溝部４７ｂの周囲の天板部４２下面に接触し、収納箱４１は、第１取付ボルト６１に落下不能に吊下げ支持される。
【００８５】
次に、手前側から見て左側の前後一対の収納箱取付雌ネジ穴８４に、収納箱４１の第２取付穴４８を介して、前後一対の第２取付ボルト６２を下方から捩じ込む。取付ボルト６１，６２を順次締め込んで、天板１の下面に収納箱４１を強固に連結する。なお、本実施形態では、手前側から見て左側の前後一対の第１取付穴４７及び前後一対の第２取付穴４８に、第１取付ボルト６１及び第２取付ボルト６２が挿通され、収納箱４１は、収納箱４１の重心に対して平面視で左寄りの位置で天板１に吊下げ連結される。
【００８６】
この実施形態でも、図１〜図１０を参照して説明した上記実施形態と同様にして、吊下げ収納箱の取付角度調整構造Ｃは、左右の取付角度調整ボルト６３の捩じ込み具合を調整することで、収納箱４１の取付角度を手前側から見て時計回り又は半時計回りに所望の角度に調整できる。
【００８７】
本実施形態の吊下げ収納箱の取付角度調整構造Ｃは、天板１に吊下げ連結される収納箱４１と天板１との間の広狭を調節することで天板１に対する収納箱４１の取付角度を調整する取付角度調整具１０を備えている。取付角度調整具１０は、収納箱４１の上方に配置されている。これにより、取付角度調整具１０を用いて収納箱４１と天板１との間の広狭を調整することで天板１に対する収納箱４１の取付角度を容易に調整でき、天板１の下方に収納箱４１を吊下げ連結した際の外観を良好にできる。さらに、取付角度調整具１０が収納箱４１の内部に露出しないので、収納箱４１の意匠を損なわずに収納箱４１の取付角度を調整できるとともに、取付角度調整具１０と収納箱４１に収容される物品との接触を防止できる。
【００８８】
９．さらに他の実施形態
次に、図１４を参照しながら、吊下げ収納箱の取付角度調整構造Ｃの他の実施形態について説明する。本実施形態において、図１〜図１０を参照して説明した上記実施形態と同じ部分には同じ符号を付し、これらの部分の詳細な説明は省略する。
【００８９】
本実施形態では、収納箱４１は、エンドフレーム３に取り付けられたブラケット５１Ａに吊下げ連結される。ブラケット５１Ａは、上記実施形態のブラケット５１と比較して、取付角度調整ナット５４及び調整ボルト挿通穴５２ｉ（図５〜図９等参照）が設けられていない。ブラケット５１Ａのその他の構成は、ブラケット５１と同じである。
【００９０】
収納箱４１Ａは、上記実施形態の収納箱４１と比較して、左右一対の工具挿通穴４９（図４、図８及び図９等参照）に替えて、取付角度調整ボルト６３と噛み合う左右一対の取付角度調整雌ネジ穴９１が形成されている。収納箱４１Ａのその他の構成は、収納箱４１と同じである。
【００９１】
吊下げ収納箱の取付角度調整構造ＣＡは、天板１に吊下げ連結される収納箱４１Ａと天板１との間の広狭を調節することで天板１に対する収納箱４１Ａの取付角度を調整する取付角度調整具１０Ａを備えている。取付角度調整ボルト６３と取付角度調整雌ネジ穴９１は、取付角度調整具１０Ａを構成している。この実施形態では、収納箱４１Ａは、上記実施形態と同様に、取付ボルト６１，６２によってブラケット５１に吊下げ連結される。
【００９２】
収納箱４１Ａの取付角度を調整する際には、第１取付ボルト６１又は第２取付ボルト６２を緩めた状態で、左右の取付角度調整雌ネジ穴９１のいずれかに取付角度調整ボルト６３を下方から捩じ込んで、取付角度調整ボルト６３のネジ先部をブラケット５１の下部に当接させる。取付角度調整ボルト６３を取付角度調整雌ネジ穴９１へ捩じ込むほど、収納箱４１Ａの天板部４２上面からの取付角度調整ボルト６３の突出長さが長くなり、ブラケット５１の下部と収納箱４１Ａの天板部４２との間隔が広がって、収納箱４１Ａは手前側から見て時計回り又は半時計回りに回動する。
【００９３】
収納箱４１Ａを所望の取付角度に調整した後、緩めた第１取付ボルト６１又は第２取付ボルト６２を締め付けることで、取付角度調整ボルト６３によってブラケット５１の下部と収納箱４１の天板部４２との間隔が維持されながら、収納箱４１がブラケット５１に強固に固定される。
【００９４】
このように、吊下げ収納箱の取付角度調整構造ＣＡは、左右の取付角度調整ボルト６３の捩じ込み具合を調整することで、収納箱４１の取付角度を手前側から見て時計回り又は半時計回りに所望の角度に調整できる。なお、図１４では、左右の取付角度調整雌ネジ穴９１のそれぞれに取付角度調整ボルト６３が捩じ込まれた状態を図示しているが、収納箱４１の取付角度が手前側から見て時計回り又は半時計回りに調整する際には、いずれか一方の取付角度調整ボルト６３を取り付ければ足りる。また、収納箱４１の取付角度調整が不要な場合には、取付角度調整ボルト６３を取付角度調整雌ネジ穴９１に捩じ込む必要はない。
【００９５】
以上、本願発明の実施形態を説明したが、本願発明は他にも様々に具体化できる。例えば、上記実施形態では、収納箱４１，４１Ａは、ブラケット５１、７１又は天板１に、４本の取付ボルト６１，６２を用いて、４箇所で固定（吊下げ連結）されているが、本発明において、収納箱は、少なくとも１箇所でブラケット又は天板に固定されていればよく、収納箱とブラケット又は天板との固定箇所の数や配置は適宜変更可能である。
【００９６】
また、上記実施形態では、取付角度調整具１０又は１０Ａが左右２箇所に設けられているが、本発明において、取付角度調整具は少なくとも１箇所に設けられていればよく、取付角度調整具の数や配置は特に限定されない。例えば、収納箱とブラケット又は天板との固定箇所に対して、取付角度調整具を前後方向に沿って配置すれば、収納箱の取付角度を前上がり又は前下がりに調整可能になる。
【００９７】
また、図１〜図１０に示した実施形態と図１１及び図１２に示した実施形態では、取付角度調整ボルト６３は、ブラケット５１又は７１に設けられた取付角度調整ナット５４に捩じ込まれているが、取付角度調整ボルトと噛み合う雌ネジ穴は、ブラケットの底板部に形成されていてもよい。また、図１４に示した実施形態では、取付角度調整ボルト６３は、収納箱４１Ａの天板部４２に設けられた取付角度調整雌ネジ穴９１に捩じ込まれているが、取付角度調整ボルトと噛み合う雌ネジ穴は、天板部４２に固着されたナットに形成されていてもよい。
【００９８】
また、本願発明において、天板は、上下方向に伸縮可能な電動式の伸縮脚部に支持されていて高さ位置調整可能に設けられているようにしてもよい。このような伸縮脚部の例は、例えば特開２０１７−７９８９０号公報に開示されている。伸縮脚部を伸長させて天板を上昇位置に配置した状態で収納箱の取付角度調整を行うことで当該調整作業のし易さが向上する。また、伸縮脚部の伸縮具合によって天板の高さ位置を調整可能な構成でありながら、天板に対する収納箱の位置は一定なので、例えば天板が上昇位置に位置しているときに使用者は屈むことなく収納箱を使用でき、収納箱の使い勝手が向上する。
【符号の説明】
【００９９】
１  天板
３  エンドフレーム（天板支持フレームの一例）
１０  取付角度調整具
１０Ａ  取付角度調整具
４１  収納箱
４１Ａ  収納箱
５１  ブラケット
５１Ａ  ブラケット
７１  ブラケット
Ｃ  吊下げ収納箱の取付角度調整構造
ＣＡ  吊下げ収納箱の取付角度調整構造
Ｇ  収納箱の重心
【図１】
2020000468.tif 000003
【図２】
2020000468.tif 000004
【図３】
2020000468.tif 000005
【図４】
2020000468.tif 000006
【図５】
2020000468.tif 000007
【図６】
2020000468.tif 000008
【図７】
2020000468.tif 000009
【図８】
2020000468.tif 000010
【図９】
2020000468.tif 000011
【図１０】
2020000468.tif 000012
【図１１】
2020000468.tif 000013
【図１２】
2020000468.tif 000014
【図１３】
2020000468.tif 000015
【図１４】
2020000468.tif 000016